(57)【要約】  【課題】  アトピー性疾患の患者にもやさしい肌接触着を提供する。  【解決手段】    後身頃生地２は身幅よりも長く、前身頃生地４は身幅よりも短い。これにより、両者の脇合わせ部７，８が、シャツ１の正面側にずれて形成されている。すなわち、脇線３７，３８と脇合わせ部７，８とは一致しない。袖生地１９の袖合わせ部５は、正面から見た場合に背中側にずれて縫製されている。このように、両者をずらすことにより、袖合わせ部５と脇合わせ部７とがアームホール部にて１箇所に集まることを防止することができる。逆側の袖生地２０についても同様である。  【選択図】  図１
2005089876.tif 000002
【特許請求の範囲】
【請求項１】
前身頃部材、
後見頃部材、
袖部材を有する肌接触着であって、
前記前身頃部材と前記後身頃部材の縫い合わせ線が前記肌接触着の脇線とずれるように前記後身頃部材の幅方向の長さと前記前身頃部材の幅方向の長さとは異なっており、
前記前身頃部材と後身頃部材との縫い合わせ線において各部材の端部がいずれも露出しないように内部に折り返されて袋縫いされていること、
を特徴とする肌接触着。
【請求項２】
請求項１の肌接触着において、
前記前身頃部材と後身頃部材の縫い合わせ線と、前記袖部の縫い合わせ線とが、前記前身頃部材および後身頃部材のアームホール線上で交差しないように、前記袖部縫い合わせ部は前記肌接触着の袖下線とずれて縫製されており、
前記袖部の縫い合わせ線において各部材の端部がいずれも露出しないように内部に折り返されて袋縫いされていること、
を特徴とする肌接触着。
【請求項３】
請求項１または請求項２の肌接触着において、
前記前身頃部材と後身頃部材には被着者が頭部を通過させる頭部通過用穴が形成されており、
前記頭部通過用穴の周縁は、前記頭部通過用穴が円周方向へ大きくなるように変形可能な伸張性円周布で覆われており、
前記伸張性円周布の表側および裏側の端部が露出しないようにいずれも内部折り返し、かつ、伸縮性の糸を用いて前記頭部通過用穴の周縁に本縫いしたこと、
を特徴とする肌接触着。  
【請求項４】
前身頃部材と、後身頃部材と、袖部材を有する肌接触着の縫製方法であって、
後身頃部材の幅と異なる前身頃部材を準備し、
前記前身頃部材と後身頃部材の縫い合わせ線が前記肌接触着の脇線とずれるように、かつ前記後身頃部材、前記前身頃部材の縫いあわせ線において各部材の端部がいずれも露出しないように内部に折り返して袋縫いしたこと、
を特徴とする肌接触着の縫製方法。
【請求項５】
請求項４の肌接触着の縫製方法において、
前記前身頃部材と後身頃部材の縫い合わせ線と、前記袖部の縫い合わせ線とが、前記前身頃部材および後身頃部材のアームホール線上で交差しないように、前記袖部の縫い合わせ部が前記肌接触着の袖下線とずらして、かつ、前記縫いあわせ線において各部材の端部がいずれもが露出しないように内部に折り返して袋縫いしたこと、
を特徴とする肌接触着の縫製方法。
【発明の詳細な説明】
【技術分野】
【０００１】
この発明は、肌への刺激の少ない肌接触着に関する。
【背景技術】
【０００２】
今日、アトピー性皮膚炎の患者については、下着などの布の縫い代による皮膚障害が問題視されている。一般に、下着などの布の縫い代の端部は、縫い合わせた部材が滑脱するのを防止するためオーバロック処理がなされている（図６参照）。この縫い代の端部およびオーバロック処理を行った部位は内側、すなわち、被着者の皮膚側に位置する。上記疾患を有する者は、健常者であれば問題のない程度の刺激であっても、皮膚の炎症のおそれがある。
【０００３】
また、シャツの襟付近は、図７に示すようにリブ編したフライス３を後身頃部材２の端部に縫い合わせている。これは、矢印３１方向の伸縮性を確保し、被着者の頭部の通過を容易にするためである。かかる部分についても、図８に示すようにオーバロック処理される。下糸をハシゴ状に縫うことにより、滑落を防止できるとともに、ハシゴ状の部分が伸びて、フライス３の伸縮の制約しない。しかしながら、かかるオーバロック処理により、前記縫い代の端部と同様の問題がある。
【０００４】
特許文献１には、かかる問題を解決するために表裏を逆にし、表側に現れた縫い代をライン形成用テープで隠すことが開示されている。
【特許文献１】特開２００１−３１６９２５号
【発明の開示】
【発明が解決しようとする課題】
【０００５】
この発明は、縫製箇所を覆う特別の部材を必要とすることなく、肌への刺激をできる限り押さえた肌接触着を提供することを目的とする。
【課題を解決するための手段】
【０００６】
１）本発明にかかる肌接触着は、1)前身頃部材、2)後身頃部材、3)袖部材を有する肌接触着であって、4)前記前身頃部材と前記後身頃部材の縫い合わせ線が前記肌接触着の脇線とずれるように前記後身頃部材の幅方向の長さと前記前身頃部材の幅方向の長さとは異なっており、5)前記前身頃部材と後身頃部材との縫い合わせ線において各部材の端部がいずれも露出しないように内部に折り返されて袋縫いされている。したがって、オーバロック処理が不要となり、肌への刺激を防止することができるとともに、前記縫い合わせ線が前記肌接触着の脇線とずれているので、摩擦の多い被着者の脇線における肌の刺激を減少することができる。
【０００７】
２）本発明にかかる肌接触着は、さらに、前記前身頃部材と後身頃部材の縫い合わせ線と、前記袖部の縫い合わせ線とが、前記前身頃部材および後身頃部材のアームホール線上で交差しないように、前記袖部縫い合わせ部は前記肌接触着の袖下線とずれて縫製されており、さらに、前記袖部の縫い合わせ線において各部材の端部がいずれも露出しないように内部に折り返されて袋縫いされている。このように、前記前身頃部材と前記後身頃部材の縫い合わせ線が前記肌接触着の脇線とずれており、かつ、前記前身頃部材と後身頃部材の縫い合わせ線と、前記袖部の縫い合わせ線とが、前記前身頃部材および後身頃部材のアームホール線上で交差しないように、前記袖部縫い合わせ部は前記肌接触着の袖下線とずれていることにより、前記合わせしろの重なりによる肌への刺激を防止することができる。また、前記袖部の縫い合わせ線において各部材の端部がいずれも露出しないように内部に折り返されて袋縫いされているので、オーバロック処理が不要となり、肌への刺激を防止することができる。
【０００８】
３）本発明にかかる肌接触着は、さらに、前記前身頃部材と後身頃部材には被着者が頭部を通過させる頭部通過用穴が形成されており、前記頭部通過用穴の周縁は、前記頭部通過用穴が円周方向へ大きくなるように変形可能な伸張性円周布で覆われており、前記伸張性円周布の表側および裏側の端部が露出しないようにいずれも内部折り返し、かつ、伸縮性の糸を用いて前記頭部通過用穴の周縁に本縫いされている。これにより、本縫いによる縫製を行ったにもかかわらず、前記被着者が頭部通過用穴に頭部を通過させる場合に、無理なく当該穴の径を大きくすることができる。
【０００９】
４）本発明にかかる肌接触着の縫製方法は、前身頃部材と、後身頃部材と、袖部材を有する肌接触着の縫製方法であって、後身頃部材の幅と異なる前身頃部材を準備し、前記前身頃部材と後身頃部材の縫い合わせ線が前記肌接触着の脇線とずれるように、かつ前記後身頃部材、前記前身頃部材の縫いあわせ線において各部材の端部がいずれも露出しないように内部に折り返されて袋縫いしたことを特徴とする。したがって、オーバロック処理が不要となり、肌への刺激を防止することができるとともに、前記縫い合わせ線が前記肌接触着の脇線とずれているので、摩擦の多い被着者の脇線における肌の刺激を減少することができる。
【００１０】
５）本発明にかかる肌接触着の縫製方法は、前記前身頃部材と後身頃部材の縫い合わせ線と、前記袖部の縫い合わせ線とが、前記前身頃部材および後身頃部材のアームホール線上で交差しないように、前記袖部の縫い合わせ部が前記肌接触着の袖下線とずらして、かつ、前記後身頃部材および前記前身頃部材と、前記袖部の縫いあわせにおける端部が露出しないように内部に折り返されて袋縫いしたことを特徴とする。
【００１１】
このように、前記前身頃部材と前記後身頃部材の縫い合わせ線が前記肌接触着の脇線とずれており、かつ、前記前身頃部材と後身頃部材の縫い合わせ線と、前記袖部の縫い合わせ線とが、前記前身頃部材および後身頃部材のアームホール線上で交差しないように、前記袖部縫い合わせ部は前記肌接触着の袖下線とずれていることにより、前記合わせしろの重なりによる肌への刺激を防止することができる。また、前記縫い合わせ線については、各部材の端部が露出しないように内部に折り返されて袋縫いされているので、オーバロック処理が不要となり、肌への刺激を防止することができる。
【００１２】
なお、本明細書において、「身幅」とは、製品を広げて置いた時の片方のアームホールの下部（身頃生地と袖生地のツナギ目の下部）から、もう一方のアームホールの下部までの幅をいい、「肌接触着」とは、下着はもちろん、Ｔシャツなど、肌に触れる服を全て含む。「前身頃部材」、「後身頃部材」、「袖部材」は、実施形態では、それぞれ、前身頃生地４、後ろ身頃生地２、および袖生地１９，２０が該当する。
【００１３】
「脇線」とは、袖の付け根の下部の脇から裾方向に伸びる線をいい、実施形態では、脇線３７，３８が該当する。脇線は身幅と同じ幅で裾まで伸びる場合もあれば、やや広がるように伸びる場合もある。
【００１４】
「縫い合わせ線」とは、複数の生地を重ねて縫製することにより肌接触面またはその裏面（正面側または背面側）にある程度の幅で現れる線分をいい、実施形態では、袖合わせ部５，６，脇合わせ部７，８などが該当する。
【００１５】
「アームホール」とは、袖部との境界に形成される円弧状の部分をいう。
【００１６】
「頭部通過用穴」とは、実施形態では、穴２２が該当する。「伸張性円周布」とは、実施形態ではフライス３が該当する。
【００１７】
「袋縫い」とは、いずれの端部も露出しないように内部に折り返されて縫う縫製方法をいい、「本縫い」とは、裏には鎖状の縫い目ができる環縫いと異なり、表も裏も同じ縫い目となる直線縫いをいう。
【００１８】
「縫製」とは、１枚または複数枚の布を糸でかがったり、縫い合わせて製品を作ることをいう。なお、本実施形態においては、糸を用いた場合について説明したが、接着、溶着などしてもよい。また、機械縫いだけでなく、手縫いしてもよい。
【発明を実施するための最良の形態】
【００１９】
本発明の一実施形態を図面に基づいて説明する。図１に本発明にかかる肌接触着であるＴシャツ１（以下シャツ１と略す）を示す。
【００２０】
シャツ１の本体部１１は、カットソーである前身頃生地４と後身頃生地２で構成されている。後身頃生地２は身幅よりも長く、前身頃生地４は身幅よりも短い。従って両者の脇合わせ部７，８が、シャツ１の正面側にずれて形成されている。すなわち、脇線３７，３８と脇合わせ部７，８とは一致しない。
【００２１】
本体部１１には、袖生地１９，２０が縫製されている。
【００２２】
本体部１１の首部近傍には、被着者の首を通過させる穴形成部２２が形成されている。穴形成部２２の周縁はフライス３で覆われている。フライス３は、伸張性のある糸で図２に示すように、穴形成部２２に本縫いされている。本実施形態においては、フジックス社製のキングレジロン糸（商標）を用いた。このように伸張性のある糸を、上糸および下糸に用いることにより、本縫いされていても、リブ状に織られたフライス３が矢印３３方向に伸びることを制約しない。したがって、被着者が首を穴２２に通過させる場合に、穴２２は径方向に穴が大きくなるように変化する。
【００２３】
また、フライス３は、図２に示すように、穴部２２の端部２２ａを覆っている。また、フライス３は、端部３ａ、３ｂが隠れるように、折り曲げ部３ｃ，３ｄで折り曲げられ、糸２５で本体２２に縫製される。したがって、孔形成部２２およびフライス３の端部はいずれも露出することがない。これより、従来のようにオーバロック処理をしない場合でも、端部２２ａ、端部３ａ，３ｂの滑脱を防止できる。
【００２４】
つぎに、前身頃生地４と後身頃生地２の縫い合わせ処理について図３を用いて説明する。図３は図１におけるB−B断面図である。前身頃生地４の端部４ａは折り曲げ部４ｂで折り曲げられている。また、後身頃生地２の端部２ａは折り曲げ部２ｂ、２ｃで折り曲げられている。前身頃生地４と後ろ身頃部材２は、糸２６によって本縫いされている。このように、前身頃生地４の端部４ａ、後ろ身頃部材２の端部２ａは、いずれも被着者の肌側には露出しない。したがって、被着者の肌への刺激が少ないシャツを提供することができる。また、脇合わせ部７，８が前側にずれて脇線と一致していないので、脇線部分における肌への刺激を軽減することができる。
【００２５】
なお、前身頃生地４と後ろ身頃部材２の肩部分における縫製は、脇合わせ部と同様である。縫い合わせ袖生地１９と本体１１との縫製についても同様である。
【００２６】
つぎに、袖生地１９における袖合わせ部５について説明する。袖生地１９の袖合わせ部５は、正面から見た場合に背中側にずれて縫製されている。背面から見た状態を図４に示す。図４で明かなように、袖合わせ部５は袖下線４１とずれて形成される。また、既に説明したように、脇合わせ部７も脇線３７とずれて、正面側に形成されている。したがって、脇合わせ部７と袖合わせ部５とが、アームホール線上にて交差しない。このように、両者をずらすことにより、袖合わせ部５と脇合わせ部７とがアームホール部にて１箇所に集まることを防止することができる。なお、逆側の袖生地２０についても同様である。
【００２７】
また、肩合わせ部１３、１４についても、シャツ１の正面側にずれて形成されている。これにより肩の部分の肌への刺激を軽減することができる。なお、肩合わせ部のずれ量は鎖骨に当たらない程度が望ましい。
【００２８】
本体１１の裾端部１０は、第５図に示すように矢印２４側（肌側）には突出しないように矢印２５側（表側）に折り込まれ、糸２１にて本縫いされている。
【００２９】
本実施形態においては、内側へのオーバロック処理を不要とするとともに、生地の合わせ位置を脇線、袖下線とずらしている。したがって、肌への刺激をより少なくすることができる。
【００３０】
また、本実施形態においては、首部分周辺のフライス３を取り付けるのに、オーバロック処理をおこなうことなく、フライス３および前身頃生地４と後ろ身頃部材２の端部が露出しないように内側に折り曲げて本縫いするのに際して、伸縮性の糸を用いている。したがって、本縫いした場合でも、フライス３の伸縮性が制限されることを防止できる。
【００３１】
４．他の実施形態
また、上記実施形態においてはフライス３を本縫するのに、６６ナイロンの一種であるフジックス社のキングレジロン糸を用いたが、此以外の６６ナイロンでもよく、また、６６ナイロン以外でも、毛羽立ちのない糸で、フライス３の径方向ののびを制限しない伸張性のある糸であればこれに限定されない。
上記実施形態においては、伸張性円周布としてフライスを用いたが、リブ編された伸張可能生地であれば、どのようなものでもよい。
【００３２】
また、上記実施形態においては、脇合わせ部７，８を正面側にずらすようにしたが、背面側にずらすようにしてもよい。この場合、袖合わせ部５，６を正面側にずらしてもよい。
【００３３】
また、上記実施形態においては、脇合わせ部７と袖合わせ部５を、ほぼ対称位置に配置した。これにより、脇合わせ部７は脇線よりも少しずれた位置で、また、袖合わせ部５も袖下線と少しずれた位置に設けることができる。しかし、これに限定されず、前身頃生地４と後ろ身頃生地２とのが、両者がアームホール線にて交差しない位置であればこれ以外のずらし方をしてもよい。たとえば、正面から見て非対称の位置であってもよく、正面側または背面側の同じ側にずらすようにしてもよい。
【００３４】
また、本実施形態においては、後身頃生地２を前身頃生地４より横幅が長くなるようにして、両者の脇合わせ部７，８が、シャツ１の正面側にずれて形成したが、逆側にずらしてもよい。
【図面の簡単な説明】
【００３５】
【図１】本発明にかかるシャツ１を平面上に広げた状態を示す図である。
【図２】フライス３の取付を説明するための図であり、図１におけるＡ−Ａ断面図である。
【図３】脇合わせ部の構造を説明するための図であり、図１におけるＢ−Ｂ断面図である。
【図４】シャツ１の背面図である。
【図５】裾端部の構造を説明するための図であり、図１におけるＣ−Ｃ断面図である。
【図６】従来の前身頃生地と後身頃生地の縫い合わせ方法を示す図である。
【図７】従来のシャツにおける首部分の拡大図である。
【図８】図７におけるフライス３の取付を説明するための図である。
【符号の説明】
【００３６】
１・・・・・・シャツ
２・・・・・・後身頃生地
４・・・・・・前身頃生地
５・・・・・・袖合わせ部
６・・・・・・袖合わせ部
７・・・・・・脇合わせ部
８・・・・・・脇合わせ部
１０・・・・・裾端部
１１・・・・・本体部
１３・・・・・肩合わせ部
１４・・・・・肩合わせ部
１５・・・・・アームホール合わせ部
１７・・・・・アームホール合わせ部
１９・・・・・袖生地
２０・・・・・袖生地
【図１】
2005089876.tif 000003
【図２】
2005089876.tif 000004
【図３】
2005089876.tif 000005
【図４】
2005089876.tif 000006
【図５】
2005089876.tif 000007
【図６】
2005089876.tif 000008
【図７】
2005089876.tif 000009
【図８】
2005089876.tif 000010